【手続補正書】
【提出日】平成23年9月15日(2011.9.15)
【手続補正１】
【補正対象書類名】特許請求の範囲
【補正対象項目名】全文
【補正方法】変更
【補正の内容】
【特許請求の範囲】
【請求項１】
訓練装置のユーザが使用するグリップにおいて：
細長部材であって、当該細長部材が８字形状であり、交差部分を規定している細長部材を、
前記訓練装置に取り付けた第１のループであって、前記交差部分に延在している第１のループと、前記交差部分から延在し、部材が前記第２のループ上の位置に固定して取り付けられる第２のループと、
前記交差部分近傍で前記細長部材に摺動可能に取り付けたハンドグリップとを具え、前記第２のループのサイズが前記細長部材上の前記ハンドグリップの位置に応じて調整可能であり、前記部材が、前記第２のループに沿った前記ハンドグリップの摺動性を制限することを特徴とするグリップ。
【請求項２】
請求項１に記載のグリップにおいて、前記ハンドグリップが、第１の端部と第２の端部を有する中空円筒状部分を具え、前記交差部分が前記第１の端部と第２の端部の間にあることを特徴とするグリップ。
【請求項３】
請求項１に記載のグリップにおいて、前記第２のループが足を拘束するサイズであることを特徴とするグリップ。
【請求項４】
請求項１に記載のグリップにおいて、前記細長部材が紐であることを特徴とするグリップ。
【請求項５】
請求項１に記載のグリップにおいて、前記第２のループのサイズが前記ハンドグリップを前記訓練装置から離れる方向に引っ張ることによって調整可能であることを特徴とするグリップ。
【請求項６】
請求項１に記載のグリップにおいて、前記第２のループが前記訓練装置から引っ張られるときに、前記ハンドグリップが前記細長部材に係合することを特徴とするグリップ。
【請求項７】
請求項６に記載のグリップにおいて、前記第２のループが前記訓練装置から引っ張られても、前記第２のループのサイズが実質的に変わらないことを特徴とするグリップ。
【請求項８】
請求項１に記載のグリップにおいて、前記部材がパディングであることを特徴とするグリップ。
【請求項９】
請求項１に記載のグリップにおいて、前記細長部材が前記訓練装置に着脱可能に取り付けられることを特徴とするグリップ。
【請求項１０】
請求項１に記載のグリップにおいて、前記細長部材が前記訓練装置に取り付けられることを特徴とするグリップ。
【請求項１１】
訓練装置のユーザが使用するグリップにおいて：
前記訓練装置に取り付けた細長部材であって、柔軟材料を具える細長部材と；
前記細長部材に摺動可能に取り付けたハンドグリップとを具え、
前記細長部材の一部がループであり、そのループ端部がそれぞれ前記ハンドグリップと接触しており、
前記ループが第１のループであり、
前記細長部材が前記訓練装置に取り付けられる第２のループであり、
部材が前記第１のループ上の位置に固定的に取り付けられ、前記ループ端部間の前記細長部材の長さが、前記細長部材上の前記ハンドグリップの位置により調節可能であり、前記部材が前記ループに沿って前記ハンドグリップの摺動性を制限することを特徴とするループ。
【請求項１２】
請求項１１に記載のグリップにおいて、前記第１のループが足を拘束するサイズであることを特徴とするグリップ。
【請求項１３】
請求項１１に記載のグリップにおいて、前記柔軟材料が紐であることを特徴とするグリップ。
【請求項１４】
請求項１１に記載のグリップにおいて、前記ハンドグリップが前記細長部材から取り外し可能であることを特徴とするグリップ。
【請求項１５】
請求項１１記載のグリップにおいて、前記第１のループの前記細長部材の長さが、前記ハンドグリップを前記訓練装置から離れる方向に引っ張ることによって調整可能であることを特徴とするグリップ。
【請求項１６】
請求項１１に記載のグリップにおいて、前記ハンドグリップがそこを通る１以上の通路を有し、前記細長部材は前記１以上の通路の少なくとも１を通過することを特徴とするグリップ。
【請求項１７】
請求項１１に記載のグリップにおいて、前記ハンドグリップが中空筒状部分を具え、前記細長部材が交差部分を規定する８字形状をしており、前記交差部分が前記中空筒状部分内にあることを特徴とするグリップ。
【請求項１８】
請求項１１に記載のグリップにおいて、前記部材がパディングであることを特徴とするグリップ。
【請求項１９】
請求項１１に記載のグリップにおいて、前記細長部材が前記訓練装置に着脱可能に取り付けられることを特徴とするグリップ。
【請求項２０】
請求項１１に記載のグリップにおいて、前記細長部材が前記訓練装置に取り付けられることを特徴とするグリップ。
【手続補正２】
【補正対象書類名】明細書
【補正対象項目名】００２５
【補正方法】変更
【補正の内容】
【００２５】
細長部材４２０の詳細を図６−９に示す。図６は、細長部材の平面図であり、図７は、グリップ対４２３の片方とバックル対４３５のこれに対応する部材の斜視図であり、図８は、グリップ対４２３の片方の８−８線断面図であり、図９Ａはバックル対の片方と連結ストラップ４２９の詳細を示す斜視図である。図６に示すように、細長部材４２０は長さＳであり、符号４２７ａと４２７ｂで示す２つの非弾性ストラップ部分４２７と、ストラップ４２９、及び長さＳを調整するバックル対４３５を具える。細長部材４２０の各端部から最も近いバックルにある部分は固定長であり、即ち、端部対４２１の一方からバックル対４３５の対応する部材への各２つの部分は固定長を持っている。一実施例では、長さＳは広い範囲の訓練を可能にする長さに調整可能である。従って、例であって限定ではなく、長さＳはほぼ６フィート乃至１２フィートの長さで可変である。別の実施例では、細長部材４２０は、ほぼ１．５インチの幅である。訓練に使用するときに、ストラップ４２９とループ４１５が細長部材４２０をアンカ４１０に沿ってスライドさせることができる一方で、十分な摩擦を提供して、ユーザが訓練を行っている間に細長部材がアンカをすり抜けてしまうことがないように、二つの端部４２１にミスマッチが生じないようにしている。
【手続補正３】
【補正対象書類名】明細書
【補正対象項目名】００３０
【補正方法】変更
【補正の内容】
【００３０】
自由端対４３１の片方が、図９Ａに詳細に示されている。各端部４３１は、折り曲げて、例えばステッチ９０１によって適所に保持し、操作が容易な端部を形成することが好ましい。細長部材４２０は、スリーブ９０３、９０５ａ、及び９０５ｂで示されているいくつかのスリーブを具え、ストラップ４２９を２回巻いて端部４３１がその周りを移動しないようにしている。特に、スリーブ９０３及び９０５は、バックル４３５、端部４３１及びストラップ４２９の間に配置されている。したがって、スリーブ９０３と９０５は、バックル４３５から対応する端部４３１へのストラップ４２９部分を拘束して、細長部材４２０が動いているときに、対応する端部４３１がその周りを移動しないようにしている。図９Ａに示すように、スリーブ９０３は、近くの端部４３１に固定されているが、スリーブ９０５はストラップ４２９の長さに沿って摺動できる。図９Ｂは、図９Ａの９Ｂ−９Ｂ線に沿った断面図であり、カムバックルとスリーブ９０５ｂへのアタッチメントの詳細を示す。特に、図９Ｂは、バックル４３５と、バーとスリーブ９０５ｂに取り付けられているストラップ９０９が回転するバー９０７を示す。ストラップ９０９は、訓練装置の長さを調整する間に、ストラップ４２９があまり下まで摺動しないようにスリーブ９０５ｂを維持している。スリーブ９０５ｂは、ストラップ４２９の部分と共に、容易に移動して保持できるように弾性であることが好ましい。
【手続補正４】
【補正対象書類名】明細書
【補正対象項目名】００３５
【補正方法】変更
【補正の内容】
【００３５】
図１４Ｂは、アンカ１４１０と細長部材４２０から形成された訓練装置１４００を示す。アンカ１４１０の調整可能なループ１４１９は、ポールの先端に調整可能なループを置いて、カムバックル１４１２を用いてポールＰの周りに締め付けられている。代替的に、ストラップ１４１１は、カムバックル１４１２からの係合をはずし、ポールＰの周りに巻きつけて、次いでカムバックルを通して縫い付けて締め付けるようにしても良い。いずれの場合も、端部１４１４は、カムバックル１４１２を介して引っ張られており、調整可能なループ１４１９は、訓練装置１４００がユーザの体重を支持するのに十分な力でポールＰの周りに締め付けられている。
【手続補正５】
【補正対象書類名】明細書
【補正対象項目名】００３７
【補正方法】変更
【補正の内容】
【００３７】
図２３は、ステッチ２３１１で適所に保持されたループ２３０７を有する第１の端部２３０５と、ステッチ２３０９でできたループ内に保持されたリング２３０４を有する第２の端部２３０３を有するフレキシブルストラップ２３０１を具える、アンカ２３００の第３の実施例を示し、図２４は、細長部材１２０でも良いが、細長部材４２０を木に固定するアンカ２３００の使用を示す。一実施例では、リング２３０４がカラビナなどのゲートリングである。別の実施例では、リング２３０４がスナップリングである。ストラップ２３０１の長さの大部分が、限定するものではないが、装置の使用者の体重を支持するのに強度が十分である天然または合成材料を紐でできたストラップを含む材料で形成されていることが好ましい。好ましい紐は、限定するものではないが、ナイロン、ポリプロピレンあるいはその他のポリマ繊維でできた紐である。図２４は、アンカ２３００と、細長部材４２０からなる訓練装置２４００を示す。ストラップ２３０１は、このストラップを受けるリング２３０４を有する木の周りに巻きつけられている。ループ２３０７がストラップ４２９を受けており、木または、ストラップ２３０１を巻きつけるのに十分小さいその他の対象物に対向してユーザが訓練できるようにしている。
【手続補正６】
【補正対象書類名】明細書
【補正対象項目名】００４６
【補正方法】変更
【補正の内容】
【００４６】
グリップアクセサリ１７００の第１の実施例では、以下に述べるようにグリップ対１２３の一方にフレキシブルループ１７１０が取り外し可能に取り付けられている。フットグリップアクセサリ１７００特定の実施例が、図１８Ａ−Ｄに示されており、図１８Ａは、フットグリップアクセサリの斜視図、図１８Ｂは、フットグリップアクセサリの底面図、図１８Ｃは、一方のグリップの取り付け部分を部分的に示す側面図、及び、図１８Ｄは、一方のグリップアクセサリ取り付け部の部分的平面図である。図１８Ａ及び１８Ｂに示すように、フットグリップアクセサリ１７００は、ループストラップ１８０１と２本の取り付け用ストラップ１８０３との３本のストラップから形成されている。この３本のストラップを取り付けて、後述するように、ループストラップ１８０１がループ１７１０を形成し、２本の取り付け用ストラップ１８０３がグリップ取り付け部分１７２０を形成している。
【手続補正７】
【補正対象書類名】明細書
【補正対象項目名】００４７
【補正方法】変更
【補正の内容】
【００４７】
ループストラップ１８０１は、連結されてループを形成している所定長さの端部を有するストラップからできている。ループストラップ１８０１は、長さ２０インチ、幅１．５インチのポリマ繊維でできた紐であることが好ましい。好ましい実施例では、このループには、三角形状のダブルステッチ部分１８１５が二つあり、一方のステッチ部分がループストラップ１８０１の２つの端部を連結している。二本のグリップ取り付け用ストラップ１８０３は各々、第１の締結面１８０９を有する第１の端部１８０７と、第２の締結綿１８１３を有する第２の端部１８１１を有する所定の長さのストラップから形成されている。取り付け用ストラップ１８０３は、ポリマ繊維紐であることが好ましい。一実施例では、ストラップ１８０３は、長さ７．５インチ、幅１．５インチである。締結面１８０９及び１８１３は、一実施例では、二重ステッチ１８１７によってループストラップ１８０１に取り付けられており、グリップ取り付け用ストラップ１８０３は、端部１８０７と１８１１の中央でループストラップにダブルステッチ１８０５で連結されていることが好ましい。
【手続補正８】
【補正対象書類名】明細書
【補正対象項目名】００４９
【補正方法】変更
【補正の内容】
【００４９】
フットグリップアクセサリ１７００は取り外し可能に取り付けられており、以下のようにして使用する。フットグリップアクセサリ１７００のグリップ取り付け部分１７２０は、グリップ１２３ａ周囲の各ストラップ１８０３の長さをラッピングして、締結面１８０９と１８１３を各ストラップの接触させることによって、グリップ対１２３の一方に取り外し可能に取り付けられる。ステッチ１８１５によって、ねじることなくループ１７１０を開くことができ、足を固定する固定ストラップを提供する。
【手続補正９】
【補正対象書類名】明細書
【補正対象項目名】００５２
【補正方法】変更
【補正の内容】
【００５２】
図２０Ａ−Ｃには、フィンガグリップアクセサリ１９００の特定の実施例が示されており、図２０Ａは、フィンガグリップアクセサリの斜視図、図２０Ｂはフィンガグリップアクセサリの２０Ｂ−２０Ｂ線に沿った平面図、及び図２０Ｃは、フィンガグリップアクセサリの２０Ｃ−２０Ｃ線に沿った断面図である。フィンガグリップアクセサリ１９００は、２本のループ１９１０、すなわち、第１のループ１９１０ａと第２のループ１９１０ｂを具え、グリップ取り付け部１９２０は、１９２０ａ、１９２０ｂ、及び１９２０ｃの３部分を具える。より詳細には、フィンガグリップアクセサリ１９００は、５本のストラップ、すなわち、ループストラップ２００１、３本の取り付け用ストラップ１８０３、及びバックストラップ２００３で形成されている。以下に説明するようにして取り付けた５本のストラップによって、ループストラップ２００１は第１のループ１９１０ａと第２のループ１９１０ｂを形成しており、一またはそれ以上の指をそれぞれ受けることができる。また、３つの取り付け用ストラップ１８０３は、グリップ取り付け部１９２０ａ、１９２０ｂ、１９２０ｃの一つを形成している。フィンガグリップアクセサリ１９００のほとんどの部分が、フットグリップアクセサリ１７００と同じ材料でできていることが好ましい。
【手続補正１０】
【補正対象書類名】明細書
【補正対象項目名】００５６
【補正方法】変更
【補正の内容】
【００５６】
グリップ取り付け部２１２０は、上述した通り、グリップ対１２３の一方に取り外し可能に取り付けることができる。このように固定したグリップアクセサリ２１００を用いて、１本から４本すべてのコード２１１０をグリップすることができ、これを引っ張ることにより、訓練装置１００に対して力をかけることができる。一実施例では、各グリップ対１２３に一のグリップアクセサリ２１００が設けられている。
【手続補正１１】
【補正対象書類名】明細書
【補正対象項目名】００５９
【補正方法】変更
【補正の内容】
【００５９】
一実施例では、ストラップ２２０５と２２０７が、ポリマ繊維でできた紐であり、バックストラップ２２０５は、長さ５インチ、幅１インチであり、前側ストラップ２２０７は、好ましくは、長さ６インチ、幅１インチである。コード２２０１と２２０３は、一実施例では、長さが約２０インチ乃至３０インチの綿コードであり、別の実施例では、長さが約２２インチ乃至約２６インチである。さらに別の実施例では、長さが約２４インチである。一実施例では、コード２２０１と２２０３が好ましくは、直径１／２インチないし１インチであり、あるいは別の実施例では、約３／４インチである。ストラップ２２０５と２２０７間のジョイントと、取り付け用ストラップ１８０３は、好ましくはダブルステッチで取り付けられている。この結果、グリップアクセサリ２１００は、約１０インチの把持可能な長さの４本のコードとなり、人の手がコード２１１０間を通ってコードを握るのに十分なものになっている。
【手続補正１２】
【補正対象書類名】明細書
【補正対象項目名】００６０
【補正方法】変更
【補正の内容】
【００６０】
グリップアクセサリ２１００は、取り外し可能に取り付けることができ、以下のようにして使用する。グリップ取り付け部分２１２０は、締結面１８０９と１８１３を各ストラップ１８０３に接触させることによって、グリップ対１２３のうちの一方に取り外し可能に取り付けることができる。このように固定したフィンガグリップアクセサリ２１００を用いて、１本、２本、３本、あるいは４本全部のコード２１１０ａ−ｄを手で握ることができる。たとえば、図２１Ａは、ユーザが握るコード２１１０ａ、２１１０ｂ、および２１１０ｃを示す図であり、図２１Ｂは、ユーザが握るコード２１１０ａと２１１０ｂを示す図であり、図２１Ｃは、ユーザが握るコード２１１０ａを示す図である。このようにして握られるコード２１１０を用いて、ユーザは訓練装置１００に対して力をかけることができる。
【手続補正１３】
【補正対象書類名】図面
【補正対象項目名】図２９
【補正方法】変更
【補正の内容】
【図２９】
2010538765.tif 000001